(57)【要約】【課題】低コストで柏餅風の包装袋入り餅菓子を提供する。【解決手段】包装袋１と包装袋１に収納された餅菓子１１とを備えた包装袋１入り餅菓子１１であって、包装袋１の前面３から後面にかけて、１枚の柏の葉の図柄２が印刷され、図柄２は、葉の長さ方向が前面３と後面との境界７に対して略直交するように、配置され、包装袋１には、少なくとも図柄２の両側に、餅菓子１１を視認可能な透明部１７、１８が設けられている。あたかも餅菓子１１が葉で包まれているように見えるので、葉が不要となり、葉で包む工程も不要となって、低コストで柏餅風の包装袋１入り餅菓子１１を提供可能である。【選択図】  図１
0003150840.tif 000002
【実用新案登録請求の範囲】
【請求項１】
包装袋と前記包装袋に収納された餅菓子とを備えた包装袋入り餅菓子であって、
前記包装袋の前面から後面にかけて、１枚の柏の葉又はサルトリイバラの葉の図柄が印刷され、
前記図柄は、前記葉の長さ方向が前記前面と前記後面との境界に対して略直交するように、配置され、
前記包装袋には、少なくとも前記図柄の両側に、前記餅菓子を視認可能な透明部が設けられていることを特徴とする包装袋入り餅菓子。
【請求項２】
前記図柄が、柏の葉又はサルトリイバラの葉の写真からなることを特徴とする請求項１記載の包装袋入り餅菓子。
【請求項３】
餅菓子を包装するための包装袋であって、
１枚の柏の葉又はサルトリイバラの葉の図柄が、前記包装袋の前面から後面にかけて印刷され、
前記図柄は、前記葉の長さ方向が前記前面と前記後面との境界に対して略直交するように、配置され、
少なくとも前記図柄の両側に、前記包装袋に収納された餅菓子を視認可能な透明部が設けられていることを特徴とする包装袋。
【請求項４】
前記図柄が、柏の葉又はサルトリイバラの葉の写真からなることを特徴とする請求項３記載の包装袋。
【考案の詳細な説明】
【技術分野】
【０００１】
本考案は、包装袋に包装された包装袋入り餅菓子に関する。
【背景技術】
【０００２】
従来から、餅菓子を柏の葉又はサルトリイバラ（「サンキライ」ともいう。）の葉等の天然葉で包んだ柏餅を、流通や販売に便利なように予め包装袋に入れた包装袋入り柏餅が知られている。また、天然葉は安定供給が困難で、値段が高いことから、ポリエチレン等の合成樹脂製の人工葉で包んだ柏餅も、知られている。
【考案の概要】
【考案が解決しようとする課題】
【０００３】
しかし、上記従来の包装袋入り柏餅は、天然葉にせよ人工葉にせよ、葉と包装袋の両方が必要であるとともに、葉で包む工程と包装袋で包装する工程とが必要であるため、製造コストが高かった。
【０００４】
この考案は、上述した問題を解決するものであり、低コストで柏餅風の包装袋入り餅菓子を提供することを目的とする。
【課題を解決するための手段】
【０００５】
本考案の包装袋入り餅菓子は、包装袋と前記包装袋に収納された餅菓子とを備え、前記包装袋の前面から後面にかけて、１枚の柏の葉又はサルトリイバラの葉の図柄が印刷され、前記図柄は、前記葉の長さ方向が前記前面と前記後面との境界に対して略直交するように、配置され、前記包装袋には、少なくとも前記図柄の両側に、前記餅菓子を視認可能な透明部が設けられていることを特徴とする。
【０００６】
これによれば、包装袋に印刷された柏の葉又はサルトリイバラの葉の図柄の両側の透明部から、餅菓子が見えることにより、あたかも餅菓子が葉で包まれているように見えるので、葉が不要となり、葉で包む工程も不要となって、低コストで柏餅風の包装袋入り餅菓子を提供可能である。
【０００７】
本考案の包装袋入り餅菓子において、前記図柄は、柏の葉又はサルトリイバラの葉の写真からなることが好ましい。より本物の葉のように見えるからである。
【０００８】
本考案の包装袋は、餅菓子を包装するためのものであって、１枚の柏の葉又はサルトリイバラの葉の図柄が、前記包装袋の前面から後面にかけて印刷され、前記図柄は、前記葉の長さ方向が前記前面と前記後面との境界に対して略直交するように、配置され、少なくとも前記図柄の両側に、前記包装袋に収納された餅菓子を視認可能な透明部が設けられていることを特徴とする。
【０００９】
これによれば、包装袋に印刷された柏の葉又はサルトリイバラの葉の図柄の両側の透明部から、餅菓子が見えることにより、あたかも餅菓子が葉で包まれているように見えるので、葉が不要となり、葉で包む工程も不要となって、低コストで柏餅風の包装袋入り餅菓子を提供可能である。
【００１０】
本考案の包装袋において、前記図柄は、柏の葉又はサルトリイバラの葉の写真からなることが好ましい。より本物の葉のように見えるからである。
【考案の効果】
【００１１】
本考案によれば、実際の葉が無くても、あたかも餅菓子が柏の葉又はサルトリイバラの葉で包まれているように見えるので、低コストで柏餅風の包装袋入り餅菓子を提供可能である。
【図面の簡単な説明】
【００１２】
【図１】本考案の一実施形態に係る包装袋入り餅菓子の正面図である。
【図２】同実施形態に係る包装袋入り餅菓子の背面図である。
【図３】図１のIII-III線断面図である。
【図４】同実施形態に係る包装袋の展開図である。
【考案を実施するための形態】
【００１３】
以下、本考案の一実施形態を図面に基づいて説明する。
【００１４】
図１、２に示すように、包装袋１は、可撓性を有するポリエチレン等の合成樹脂製のシート１２（図４参照）により略矩形状に形成され、左右の端部にヒートシール部２１、２２を有するとともに、後面４にヒートシール部２３を有して、内部が密閉空間とされている。また、包装袋１には、１枚の柏の葉の図柄２が、包装袋１の前面３から後面４にかけて印刷されるとともに、装飾図柄８及び文字９が前面３に印刷されている。包装袋１において、図柄２、装飾図柄８、及び、文字９の部分を除いた部分は透明とされ、すなわち、図柄２の両側には、透明部１７、１８が設けられている。なお、ここでいう左右とは、図１紙面上における左右をいう。
【００１５】
図柄２は、柏の葉の写真からなるものであり、葉の長さ方向（すなわち、葉の先端部５から基部６へ向かう方向）が前面３と後面４との境界７、７に対して略直交するように、配置されて、葉の上半分（先端部５側の半分）は、前面３の中央部に配置されている。
【００１６】
包装袋１の内部には、図１〜３に示すように、従来の柏餅に用いられるものと同じ餅菓子１１が収納されている。なお、図１、２では、餅菓子１１において包装袋１の透明部１７、１８から視認できる部分を、実線表示している。
【００１７】
次に、包装袋１の形成方法について説明する。図４は、包装袋１の展開図であるが、図４に示すように、包装袋１は、可撓性を有する透明の合成樹脂製シートに図柄２、装飾図柄８、及び、文字９が印刷されたシート１２からなり、境界７、７を折り目として、シート１２の上下の端部１３、１４を互いにヒートシールしてヒートシール部２３（図２参照）を形成するとともに、左右の端部１５、１６をそれぞれヒートシールすることにより、ヒートシール部２１、２２（図１、２参照）を形成する。なお、ここでいう上下、左右とは、図４紙面上における上下、左右をいう。かかるヒートシールにより、包装袋１が形成される。
【００１８】
実施形態では、切離し前の各シート１２が巻かれたロールから裏面を上に向けて送り出される各シート１２の所定位置に、餅菓子１１を配置して、図示しない包装用装置に送り込むことにより、各シート１２が切離されて、上述したように包装袋１が形成されるのと同時に、餅菓子１１が包装袋１内に封入される。なお、かかる包装用装置については公知であるので詳述しない。
【００１９】
以上のように構成された包装袋１入り餅菓子１１によれば、包装袋１に印刷された柏の葉の図柄２の両側の透明部１７、１８から、餅菓子１１が見えることにより、あたかも餅菓子１１が葉で包まれているように見えるので、葉が不要となり、葉で包む工程も不要となって、低コストで柏餅風の包装袋１入り餅菓子１１を提供できる。
【００２０】
なお、図柄２は柏の葉の写真からなるので、リアルであり、餅菓子１１を本物の葉で包んだ柏餅のように見せることができるが、勿論、図柄２を柏の葉の絵からなるものとしてもよいし、また、柏の葉の代用としてよく用いられるサルトリイバラの葉の写真や絵等の図柄を用いてもよい。
【００２１】
また、実施形態では、包装袋１において、図柄２、装飾図柄８、及び、文字９の部分を除いた部分を、全て透明としたが、少なくとも図柄２の両側に、包装袋１に収納された餅菓子１１を視認可能な透明部１７、１８を設ければよい。図柄２の両側に餅菓子１１が見えるので、あたかも餅菓子１１が葉で包まれているように見えるからである。
【００２２】
また、実施形態では、包装袋１の形成と餅菓子１１の封入（すなわち、包装袋１の密封）を同時に可能な包装用装置を用いたが、例えば、シート１２の状態から、上下の端部１３、１４をヒートシールするとともに左の端部１５をヒートシールすることにより、ヒートシール部２２、２３を有して右の端部１６は開口端部とされた包装袋１を作成し、その開口端部から餅菓子１１を包装袋１内に入れて、端部１６をヒートシールしてヒートシール部２２とし、包装袋１を密封するようにしてもよい。
【符号の説明】
【００２３】
１…包装袋
２…図柄
３…前面
４…後面
７…境界
１１…餅菓子
１７、１８…透明部
【図１】
0003150840.tif 000003
【図２】
0003150840.tif 000004
【図３】
0003150840.tif 000005
【図４】
0003150840.tif 000006